(57)【要約】【課題】  照明装置の位置や向きを容易に変えることが可能で且つ配線を隠して見栄えを良くした、簡単な構造のシステム天井並びにそのシステム天井に用いる枠材を提供する。【解決手段】  ウェブ３ａの一端に、開口部がウェブと反対側になるようにＣ字状のフランジ３ｂを設けた型材で構成され、該型材の長手方向に間隔をあけた複数箇所の、前記ウェブとフランジの接する部分に複数の貫通孔１３を設けた構成の枠材３を、フランジの開口部を下に向けて格子状に組んで天井フレーム２とし、格子の開口部に天井材４を配してシステム天井を構成し、天井フレーム２を構成する枠材３のＣ字状のフランジ３ｂに照明装置５を移動可能に保持させる構成とする。【選択図】  図１
2008251374.tif 000002
【特許請求の範囲】
【請求項１】
ウェブの一端に、開口部がウェブと反対側になるようにＣ字状のフランジを設けた型材で構成され、該型材の長手方向に間隔をあけた複数箇所の、前記ウェブとフランジの接する部分に複数の貫通孔を設けたシステム天井用枠材。
【請求項２】
前記貫通孔のサイズを１０〜２０ｍｍとし、貫通孔の形成ピッチを１００〜５００ｍｍとしたことを特徴とする請求項１記載のシステム天井用枠材。
【請求項３】
ウェブの一端に、開口部がウェブと反対側になるようにＣ字状のフランジを設けた型材で構成され、該型材の長手方向に間隔をあけた複数箇所の、前記ウェブとフランジの接する部分に複数の貫通孔を設けた構成のシステム天井用枠材を、前記フランジの開口部を下に向けて格子状に組んで構成した天井フレームと、該天井フレームに取り付けられた照明装置を備え、該照明装置が前記システム天井用枠材のＣ字状のフランジに移動可能に保持された取付部材と該取付部材に取り付けられた照明器具を備え、該照明器具の配線をその照明器具の近傍に位置する前記貫通孔から引き出しており、更に前記天井フレームの縦方向及び横方向に配置された前記枠材が交差する部分では一方の枠材のフランジに保持された前記取付部材が他方の枠材のフランジ内に移動可能なように前記フランジを切り欠いていることを特徴とするシステム天井。
【発明の詳細な説明】
【技術分野】
【０００１】
本発明はシステム天井に関するものである。
【背景技術】
【０００２】
オフィスや商業施設を中心に多く使われているシステム天井は、枠材を格子状に組んで天井フレームとし、その格子の開口部に天井板を配した構造を有しており、そのシステム天井の上側に空調用のダクトや照明装置用の配線を設置することができ、また一部の天井板に代えて、空調装置の吹き出し口や照明装置を配置したり、天井板に穴を開けてスプリンクラーや火災報知機などを設置したりすることが可能であるので、室内の天井面全体の設備設置の自由度が高いという利点を有している。また、従来の捨て張り工法に比べ施工性も良い。
【０００３】
最近、コンビニエンスストアなどの商業施設においては、他店との差別化のため、季節、或いはクリスマスや正月といった行事に合わせて、施設内の模様替えが多く行われている。しかし、従来のシステム天井であっても、頻繁に行われる模様替えに対応できるほど施工性が良いわけではなく、天井面に対する模様替えはほとんど行われていない。そこで、天井面にポップ類を吊るしたり、照明装置の位置を変えたりして、更に自由度の高い模様替えに対応したシステム天井が求められている。
【０００４】
天井に配置する照明装置を移動可能に保持する装置としては、ライティングダクトが多く用いられるが、これは照明装置を設置するためのレールが天井面に直付けされることが多く、コイル状の配線が剥き出しとなり外観が良くない。また、多くは直線状のレールであるので、移動範囲に制限があり、更に、直線状の蛍光管を用いた照明装置の向きを変えることも困難である。
【０００５】
照明装置の取付位置を変更可能なシステム天井として、天井フレームの所望の開口部に照明装置を嵌め込む構造のもの（例えば、特開平８−４１９０号公報参照）や、天井に凹溝形状の折上天井部を形成し、その凹溝内に照明器具を移動可能に保持させる構造のもの（例えば、特開２００５−２６７６号公報参照）等が提案されている。しかしながら、これらのシステム天井では、照明装置を取り付けるために複雑な構造を必要としていた。また、これらにおいても直線状の蛍光管を用いた照明装置の向きを変えることが困難であるという問題点もあった。
【特許文献１】特開平８−４１９０号公報
【特許文献２】特開２００５−２６７６号公報
【発明の開示】
【発明が解決しようとする課題】
【０００６】
本発明はかかる問題点に鑑みてなされたもので、照明装置の位置や向きを容易に変えることが可能で且つ配線を隠して見栄えを良くした、簡単な構造のシステム天井並びにそのシステム天井に用いるシステム天井用枠材を提供することを課題とする。
【課題を解決するための手段】
【０００７】
本発明者らは上記課題を解決すべく検討の結果、システム天井の天井フレームに照明装置を移動可能に保持させる機能を持たせると共に照明装置用の配線をその天井フレームを通して天井裏に通すことで上記課題を解決しうることを見出し、本発明を達成したものである。すなわち、本発明のシステム天井用枠材は、ウェブの一端に、開口部がウェブと反対側になるようにＣ字状のフランジを設けた型材で構成され、該型材の長手方向に間隔をあけた複数箇所の、前記ウェブとフランジの接する部分に複数の貫通孔を設けた構成としたものである。
【０００８】
ここで、前記貫通孔のサイズを１０〜２０ｍｍ、貫通孔の形成ピッチを１００〜５００ｍｍとしておくことが好ましい。なお、本明細書において貫通孔のサイズとは、正方形の貫通孔に対しては一辺の長さを、長方形の貫通孔に対しては、長辺の長さを、円形若しくは半円形の貫通孔に対しては直径を、楕円形、長円形の貫通孔に対しては長径を指すものとする。
【０００９】
本発明のシステム天井は、ウェブの一端に、開口部がウェブと反対側になるようにＣ字状のフランジを設けた型材で構成され、該型材の長手方向に間隔をあけた複数箇所の、前記ウェブとフランジの接する部分に複数の貫通孔を設けた構成のシステム天井用枠材を、前記フランジの開口部を下に向けて格子状に組んで構成した天井フレームと、該天井フレームに取り付けられた照明装置を備え、該照明装置が前記システム天井用枠材のＣ字状のフランジに移動可能に保持された取付部材と該取付部材に取り付けられた照明器具を備え、該照明器具の配線をその照明器具の近傍に位置する前記貫通孔から引き出しており、更に前記天井フレームの縦方向及び横方向に配置された前記枠材が交差する部分では一方の枠材のフランジに保持された前記取付部材が他方の枠材のフランジ内に移動可能なように前記フランジを切り欠いていることを特徴とするものである。
【発明の効果】
【００１０】
本発明のシステム天井用枠材は、Ｃ字状のフランジの開口部を下に向けて格子状に組んでシステム天井の天井フレームを構成することができ、そのフランジを照明装置を移動可能に保持するための保持手段として使用できる。そして、このシステム天井用枠材を用いた本発明のシステム天井は、天井フレームに照明装置を移動可能に保持させており、しかも、照明装置の取付部材は、天井フレームの縦方向の枠材から横方向の枠材に、或いはその逆に移動させることができるので、照明装置の位置を広い範囲で容易に変更できると共に照明装置の向きも容易に変更でき、しかも従来用いていたライティングダクト等の照明装置専用の保持手段は不要であるので、システム天井の構造をきわめて簡略化でき、コスト削減を図ることができる。また、照明器具の配線はその照明器具の近傍に位置する貫通孔から天井裏に引き出しているので、配線が目障りとなることがなく、照明装置を含むシステム天井全体の美観が良い。
【発明を実施するための最良の形態】
【００１１】
図１は本発明の好適な実施の形態に係るシステム天井の一部を示す概略斜視図、図２はそのシステム天井の概略下面図、図３はそのシステム天井の照明装置配置領域を示す概略断面図、図４は図３のＡ−Ａ矢視概略断面図、図５はシステム天井用枠材の概略斜視図、図６は図５のＢ−Ｂ矢視概略断面図、図７は図６のＣ−Ｃ矢視概略断面図である。全体を参照符号１で示すシステム天井は、システム天井用枠材３を格子状に組んで形成した天井フレーム２と、格子の開口部を閉じるように配置された天井材４と、天井フレーム２に保持された照明装置５等を備えている。天井フレーム２は、建物の天井領域の躯体に、吊りボルト、それに支持されたチャンネル、チャンネルに保持され、天井フレーム２の枠材３を保持するクリップ等を備えた支持機構（図示せず）によって支持されている。
【００１２】
システム天井用枠材３は、アルミ、鋼等の金属製の、長手方向に一定断面を持った型材で形成されるもので、ウェブ３ａと、そのウェブの一端（図５〜図７では下端）に、開口部がウェブ３ａと反対側になるように設けられたＣ字状のフランジ３ｂを備えている。このＣ字状のフランジ３ｂは、照明装置５を移動可能に保持するための保持手段としても作用するものであり、天井フレーム２を形成するに当たっては、Ｃ字状の開口部を下に向けて配置される。フランジ３ｂの幅Ｗは１２〜５０ｍｍ程度に選定することが好ましく、更には、１２〜３０ｍｍに選定することが一層好ましい。また、Ｃ字状の開口部の幅ｗは８〜４０ｍｍ程度に選定することが好ましく、更には、８〜２５ｍｍに選定することが一層好ましい。枠材３の長手方向に間隔をあけた複数箇所には、ウェブ３ａとフランジ３ｂの接する部分に、両者に開口するように貫通孔１３が形成されている。この貫通孔１３は照明装置用の配線を引き出すためのものであり、図面の実施の形態では矩形状の貫通孔１３が用いられている。なお、貫通孔１３の形状は矩形状に限らず、例えば、図８に示す枠材３に設けている貫通孔１３のように、円形（フランジ３ｂに形成している部分）及び半円形（ウェブ３ａに形成している部分）としてもよく、更には、楕円形、長円形等としてもよい。貫通孔１３の大きさは、配線を引き出すことができる範囲でなるべく小さく選定することが、枠材３の強度を低下させず且つ孔開け加工が容易となるので好ましい。具体的には、貫通孔１３のサイズ（正方形の貫通孔に対しては一辺の長さ、長方形の貫通孔に対しては、長辺の長さ、円形若しくは半円形の貫通孔に対しては直径、楕円形、長円形の貫通孔に対しては長径）としては、１０〜２０ｍｍ程度とすることが好ましい。なお、フランジ３ｂの幅Ｗが小さい場合には、図５〜図７に示すように、貫通孔１３をフランジ３ｂの幅いっぱいに形成することが配線を引き出しやすいので好ましい。貫通孔１３のピッチは、照明装置５を枠材３の長手方向のどの位置に配置しても、その近くに貫通孔１３が存在するようにするため小さくすることが好ましいが、あまり小さくすると貫通孔１３の個数が増加して加工工数が増す。これらを考慮すると、貫通孔１３のピッチは、１００〜５００ｍｍ程度とすることが好ましく、更には、１５０〜３００ｍｍとすることが一層好ましい。
【００１３】
図５〜図７において、枠材３のウェブ３ａの上端には、両側に張り出した拡大部３ｃが形成されている。この拡大部３ｃは、枠材３で形成した天井フレームを支持機構によって建物の天井領域の躯体に吊り下げる際に、その支持機構のクリップで拡大部３ｃをつかんで枠体３を保持することができるように設けたものである。なお、枠体３の保持に拡大部３ｃを用いる必要がない場合（例えば、ウェブ３ａをボルト止めして保持させる場合など）には、図８に示す枠材３のように、ウェブ３ａ上端に拡大部を設けなくてもよい。
【００１４】
図７において、枠材３は、１枚の板材を図７に示す断面形状となるように折り曲げ成形して作られている。このため、図７に示す枠材３では、ウェブ３ａが２枚の板材を重ね合わせたような構造となっている。なお、本発明に用いる枠材３はこの構造に限らず、図８に示す枠材３のように、押出成形によって一体構造に作ったものでもよい。
【００１５】
図１〜図４において、照明装置５は、天井フレーム２の枠材３のＣ字状のフランジ３ｂに移動可能に保持された取付部材１５とその取付部材１５に取り付けられた照明器具１６を備えている。取付部材１５はＣ字状のフランジ３ｂ内を移動可能なスライダ部１５ａとそれを照明器具１６に連結する連結部１５ｂを備えており、スライダ部１５ａがフランジ３ｂ内を移動することで、照明器具１６を枠材３に沿って移動させることができる。スライダ部１５ａはＣ字状のフランジ３ｂ内を移動可能で且つそのフランジ３ｂからそれに交差するフランジ３ｂ内にも移動させることができるものであれば形状は任意であり、正方形状のもの、円形状のもの等を使用できる。なお、正方形状のスライダ部１５ａを用いる場合には、そのスライダ部１５ａを連結部１５ｂに対して回転可能とするか、或いは連結部１５ｂを照明器具１６に対して回転可能としておく。照明器具１６としては任意のものを用いることができるが、この実施の形態では、照明器具本体１６ａとそれに取り付けられた直線状の蛍光管１６ｂを備えたものを用いている。照明器具１６からの配線１７は、その照明器具１６の近傍に位置する貫通孔１３、好ましくは照明器具１６の上に位置する貫通穴１３から天井裏に引き出している。この構成により、配線１７が照明器具１６によって隠されることとなり、照明装置５を含むシステム天井１全体の見栄えを悪くすることがない。
【００１６】
前記したように、天井フレーム２は枠材３を格子状に組んで構成されている。この天井フレーム２の、縦横の枠材３、３が交差する領域では、一方の枠材３のフランジ３ｂに保持された取付部材１５のスライダ１５ａが他方の枠材３のフランジ３ｂ内に移動可能なようにフランジ３ｂを切り欠いている。かくして、取付部材１５は、縦方向或いは横方向の枠材３に沿って移動することができると共に、その枠材３に交差する枠材３を横切っても移動することができ、更には、その枠材３に交差する枠材３に沿っても移動することもできる。
【００１７】
上記構成のシステム天井１では、天井フレーム２の枠材３に照明装置５を移動可能に取り付けているので、照明装置５の位置を容易に変更できる。しかも、照明装置を天井フレーム２に保持させるための取付部材１５は、縦方向の枠材３、横方向の枠材３のいずれにも移動させることができるので、図２において横方向に取り付けている照明装置５を二点鎖線５Ａで示すように縦方向に移動させることもでき、照明装置５を広い範囲で移動させたり、向きを変えたりすることができ、照明装置５の位置や向きの変更を伴う天井面の模様替えを容易に行うことができる。また、照明装置の位置変えのために従来用いていたライティングダクト等の照明装置専用の保持手段は不要であるので、システム天井の構造をきわめて簡略化でき、コスト削減を図ることができる。更に、照明器具１６の配線１７はその照明器具の近傍に位置する貫通孔から天井裏に引き出しているので、配線が目障りとなることがなく、照明装置５を含むシステム天井１全体の美観が良いといった種々な利点を有している。
【００１８】
以上に本発明の好適な実施の形態を説明したが、本発明はこの実施の形態に限定されるものではなく、特許請求の範囲の記載範囲内で適宜変更可能であることは言うまでもない。
【図面の簡単な説明】
【００１９】
【図１】本発明の好適な実施の形態に係るシステム天井の一部を示す概略斜視図
【図２】図１に示すシステム天井の概略下面図
【図３】図１に示すシステム天井の照明装置配置領域を示す概略断面図
【図４】図３のＡ−Ａ矢視概略断面図
【図５】システム天井用枠材の概略斜視図
【図６】図５のＢ−Ｂ矢視概略断面図
【図７】図６のＣ−Ｃ矢視概略断面図
【図８】システム天井用枠材の他の例を示す概略斜視図
【符号の説明】
【００２０】
１  システム天井
２  天井フレーム
３  システム天井用枠材
３ａ  ウェブ
３ｂ  フランジ
３ｃ  拡大部
４  天井材
５  照明装置
１３  貫通孔
１５  取付部材
１５ａ  スライダ部
１５ｂ  連結部
１６  照明器具
１６ａ  照明器具本体
１６ｂ  蛍光管
【図１】
2008251374.tif 000003
【図２】
2008251374.tif 000004
【図３】
2008251374.tif 000005
【図４】
2008251374.tif 000006
【図５】
2008251374.tif 000007
【図６】
2008251374.tif 000008
【図７】
2008251374.tif 000009
【図８】
2008251374.tif 000010